(57)【要約】【課題】本発明は、作業性及びコストの点で優れた樹木保護用シート並びに防草用シートを提供することを課題とする。【解決手段】樹木１２に巻きつけて取り付けられ、樹木１２が鹿、熊、野兔、野鼠などの動物により被害を受けるのを防ぐための樹木保護用シート１１において、少なくとも生分解性ポリマーと自然廃棄物と軟化剤を含む混合物から得られる生分解性を有するシート本体１３と、このシート本体１３を樹木１２に固定する，樹木の生長を妨げない非拘束性のゴムバンド１４とを具備することを特徴とする樹木保護用シート１１。【選択図】    図１
2005151970.tif 000002
【特許請求の範囲】
【請求項１】
樹木に巻きつけて取り付けられ、樹木が鹿、熊、野兔、野鼠などの動物により被害を受けるのを防ぐための樹木保護用シートにおいて、少なくとも生分解性ポリマーと自然廃棄物と軟化剤を含む混合物から得られる生分解性を有するシート本体と、このシート本体を樹木に固定する，樹木の生長を妨げない非拘束性の固定具とを具備することを特徴とする樹木保護用シート。
【請求項２】
苗木の周辺の地面に敷かれて使用される樹木保護用シートにおいて、少なくとも生分解性ポリマーと自然廃棄物と軟化剤を含む混合物から得られる生分解性を有するシート本体と、このシート本体を地面に固定する止め具とを具備することを特徴とする樹木保護用シート
【請求項３】
前記シート本体に上記動物が嫌う獣害防止剤を含むか、あるいはシート本体に獣害防止剤が塗布されていることを特徴とする請求項１若しくは２いずれか記載の樹木保護用シート。
【請求項４】
苗木の根の少なくとも真下に位置する地面に肥料が施されていることを特徴とする請求項２若しくは３記載の樹木保護用シート。
【請求項５】
前記シート本体の裏面側に生分解性を有した補強層を設けたことを特徴とする請求項２乃至４いずれか記載の樹木保護用シート。
【請求項６】
請求項１、３，４いずれか記載の樹木保護用シートを施工する方法であり、少なくとも生分解性ポリマーと自然廃棄物と軟化剤を含む混合物から得られる生分解性を有するシート本体を樹木に巻きつけた後、前記シート本体を樹木の生長を妨げない非拘束性の固定具により樹木に固定することを特徴とする樹木保護用シートの施工方法。
【請求項７】
請求項２記載の樹木保護用シートを施工する方法であり、少なくとも生分解性ポリマーと自然廃棄物と軟化剤を含む混合物から得られる生分解性を有するシート本体を地面に敷設した後、このシート本体を止め具により地面に固定することを特徴とする樹木保護用シートの施工方法。
【請求項８】
地面に敷かれて使用され、雑草の生長を抑止するための防草用シートであり、少なくとも生分解性ポリマーと自然廃棄物と軟化剤を含む混合物から得られる生分解性を有するシート本体と、このシート本体を地面に固定するための止め具とを具備することを特徴とする防草用シート。
【請求項９】
芝桜、ヘデラ等の匍匐植物あるいは苗木を植える際に、雑草の生長を抑止するために地面に敷かれて使用される防草用シートであり、少なくとも生分解性ポリマーと自然廃棄物と軟化剤を含む混合物から得られる生分解性を有し、かつ前記匍匐植物あるいは苗木を植える場所に相当する位置に開口穴が形成されたシート本体と、このシート本体を地面に固定するための止め具と、前記匍匐植物あるいは苗木の根元と前記開口穴の間の隙間に形成された発泡体層とを具備することを特徴とする防草用シート。
【請求項１０】
前記シート本体に、通水を図るための小孔が多数形成されていることを特徴とする請求項８若しくは９いずれか記載の防草用シート。
【請求項１１】
前記シート本体の裏面側に生分解性を有した補強層を設けたことを特徴とする請求項８乃至１０いずれか記載の防草用シート。
【請求項１２】
請求項８記載の防草用シートの施工方法であり、少なくとも生分解性ポリマーと自然廃棄物と軟化剤を含む混合物から得られる生分解性を有するシート本体を地面に敷設した後、このシート本体を止め具により地面に固定することを特徴とする防草用シートの施工方法。
【請求項１３】
請求項９記載の防草用シートの施工方法であり、少なくとも生分解性ポリマーと自然廃棄物と軟化剤を含む混合物から得られる生分解性を有するシート本体を地面に敷設した後、前記シート本体を止め具により地面に固定するとともに、匍匐植物あるいは苗木の根元と開口穴の間の隙間に発泡体層を形成することを特徴とする防草用シートの施工方法。
【発明の詳細な説明】
【技術分野】
【０００１】
本発明は、樹木が鹿、熊、野兔、野鼠などの動物により被害を受けるのを防ぐための樹木保護用シート、雑草の生長を抑止するための防草用シート、及びこれらのシートの施工方法に関する。
【背景技術】
【０００２】
最近、林業の分野では、鹿、熊、野兔、野鼠などの動物による造林木の樹皮剥ぎや苗木等の樹木の葉の食害が深刻な問題となっている。ところで、樹皮剥ぎを受けると、樹皮剥ぎ部分から腐朽が生じて材木としての価値が著しく低下するとともに、場合によっては枯死することも起こりうる。また、苗木の葉が食害を受けると、成長が全く止まってしまう可能性が大きく、多大な損害を受けることになる。
【０００３】
従来、こうした問題を解決するためには、植林された樹木地帯を金網、丸太等の防護柵で囲んだり、あるいは図４に示すように植栽木１をポリエチレン等の樹脂製ネット２で囲い込み、紐等の固定具３で固定する等の手段が採用されている。しかし、金網等で樹木地帯を囲むのは広い領域にわたるため、コスト高となるとともに、美観を損ねる問題が生じる。また、植栽木を樹脂製ネットで囲い込むことは、植栽木毎に施工するとともに、植栽木が生長した後、ネットを外す作業が必要であり、作業性が悪いとともにコスト高を招く。
【０００４】
特許文献１は、図６に示すように、柔軟性を有するシート状のツリープロテクター本体４と、この本体４に一体的に設けられ、該本体４を巻回した状態で保持する，係止片５及びスリット６とからなるツリープロテクター（樹木保護用シート）７の一例を示す。しかし、この特許文献１の場合も、上記と同様に、作業性、コストの点で問題があった。図６のツリープロテクター７（７ａ，７ｂ，７ｃ）は、例えば図６に示すように樹木の外周部にセットされて使用される。
【０００５】
また、従来、例えば図５に示すように、道路８の傾斜地面９に生長する雑草を抑制する手段として、防草用シート１０を敷設することが行われている。ここで、防草用シート１０を敷設するには、例えば、シート敷設予定地の除草をしたり、大きな石やゴミ等を取り除き、更に必要に応じて表面から１０ｃｍ程度の鍬取りを行った後、ロール状の防草用シートを敷き詰め、適宜な長さに切断し、最後に前記シートを地面に杭などにより固定することにより行なっている。
【０００６】
しかし、前記防草用シートは一般にポリエステル不織布等により構成されているため、放置すると長年そのまま残るため、しばらくした後回収作業が必要となり、作業性が悪いとともにコスト高を招く問題があった。
【特許文献１】実用新案登録第３０６７３１３号（段落［００１０］〜［００１２］及び図１参照）
【発明の開示】
【発明が解決しようとする課題】
【０００７】
本発明はこうした事情を考慮してなされたもので、少なくとも生分解性ポリマーと自然廃棄物と軟化剤を含む混合物から得られる生分解性を有するシート本体と、このシート本体を樹木に固定する，樹木の生長を妨げない非拘束性の固定具を具備した構成にすることにより、作業性及びコストの点で優れた樹木保護用シート及びその施工方法を提供することを目的とする。
【０００８】
また、本発明は、少なくとも生分解性ポリマーと自然廃棄物と軟化剤を含む混合物から得られる生分解性を有するシート本体と、このシート本体を地面に固定するための止め具とを具備した構成にすることにより、作業性及びコストの点で優れた防草用シート及びその施工方法を提供することを目的とする。
【０００９】
更に、本発明は、芝桜、ヘデラ等の匍匐植物あるいは苗木を植える際に、雑草の生長を抑止するために地面に敷かれて使用される防草用シートであり、少なくとも生分解性ポリマーと自然廃棄物と軟化剤を含む混合物から得られる生分解性を有し、かつ前記匍匐植物あるいは苗木を植える場所に相当する位置に開口穴が形成されたシート本体と、このシート本体を地面に固定するための止め具と、前記匍匐植物あるいは苗木の根元と前記開口穴の間の隙間に形成された発泡体層とを具備した構成にすることにより、匍匐植物あるいは苗木の根元と開口穴の間の隙間から雑草が生えるのを抑制し、かつ作業性及びコストの点でも優れた防草用シート及びその施工方法を提供することを目的とする。
【課題を解決するための手段】
【００１０】
１）本発明の樹木保護用シートは、樹木に巻きつけて取り付けられ、樹木が鹿、熊、野兔、野鼠などの動物により被害を受けるのを防ぐための樹木保護用シートにおいて、少なくとも生分解性ポリマーと自然廃棄物と軟化剤を含む混合物から得られる生分解性を有するシート本体と、このシート本体を樹木に固定する，樹木の生長を妨げない非拘束性の固定具とを具備することを特徴とする。
【００１１】
２）本発明の他の樹木保護用シートは、苗木の周辺の地面に敷かれて使用される樹木保護用シートにおいて、少なくとも生分解性ポリマーと自然廃棄物と軟化剤を含む混合物から得られる生分解性を有するシート本体と、このシート本体を地面に固定する止め具とを具備することを特徴とする
３）本発明の樹木保護用シートの施工方法は、樹木に巻きつけて取り付けられ、樹木が鹿、熊、野兔などの動物により被害を受けるのを防ぐための樹木保護用シートの施工方法において、少なくとも生分解性ポリマーと自然廃棄物と軟化剤を含む混合物から得られる生分解性を有するシート本体を樹木に巻きつけた後、前記シート本体を樹木の生長を妨げない非拘束性の固定具により樹木に固定することを特徴とする。
【００１２】
４）本発明の他の樹木保護用シートの施工方法は、少なくとも生分解性ポリマーと自然廃棄物と軟化剤を含む混合物から得られる生分解性を有するシート本体を地面に敷設した後、このシート本体を止め具により地面に固定することを特徴とする。
【００１３】
５）本発明の防草用シートは、地面に敷かれて使用され、雑草の生長を抑止するための防草用シートであり、少なくとも生分解性ポリマーと自然廃棄物と軟化剤を含む混合物から得られる生分解性を有するシート本体と、このシート本体を地面に固定するための止め具とを具備することを特徴とする。
【００１４】
６）本発明の別な防草用シートは、芝桜、ヘデラ等の匍匐植物あるいは苗木を植える際に、雑草の生長を抑止するために地面に敷かれて使用される防草用シートであり、少なくとも生分解性ポリマーと自然廃棄物と軟化剤を含む混合物から得られる生分解性を有し、かつ前記匍匐植物あるいは苗木を植える場所に相当する位置に開口穴が形成されたシート本体と、このシート本体を地面に固定するための止め具と、前記匍匐植物あるいは苗木の根元と前記開口穴の間の隙間に形成された発泡体層とを具備することを特徴とする。
【００１５】
７）本発明の防草用シートの施工方法は、地面に敷かれて使用され、雑草の生長を抑止するための防草用シートの施工方法であり、少なくとも生分解性ポリマーと自然廃棄物と軟化剤を含む混合物から得られる生分解性を有するシート本体を地面に敷設した後、このシート本体を止め具により地面に固定することを特徴とする。
【００１６】
８）本発明の別な防草用シートの施工方法は、前記６）記載の防草用シートの施工方法であり、少なくとも生分解性ポリマーと自然廃棄物と軟化剤を含む混合物から得られる生分解性を有するシート本体を地面に敷設した後、前記シート本体を止め具により地面に固定するとともに、匍匐植物あるいは苗木の根元と開口穴の間の隙間に発泡体層を形成することを特徴とする。
【発明の効果】
【００１７】
本発明によれば、少なくとも生分解性ポリマーと自然廃棄物と軟化剤を含む混合物から得られる生分解性を有するシート本体と、このシート本体を樹木に固定する，樹木の生長を妨げない非拘束性の固定具を具備した構成にすることにより、作業性及びコストの点で優れた樹木保護用シート及びその施工方法を提供できる。
【００１８】
また、本発明によれば、少なくとも生分解性ポリマーと自然廃棄物と軟化剤を含む混合物から得られる生分解性を有するシート本体と、このシート本体を地面に固定する止め具とを具備した構成にすることにより、作業性及びコストの点で優れた樹木保護用シート及びその施工方法を提供できる。
【００１９】
更に、本発明によれば、少なくとも生分解性ポリマーと自然廃棄物と軟化剤を含む混合物から得られる生分解性を有するシート本体と、このシート本体を地面に固定するための止め具とを具備した構成にすることにより、作業性及びコストの点で優れた防草用シート及びその施工方法を提供できる。
【００２０】
更には、本発明によれば、芝桜、ヘデラ等の匍匐植物あるいは苗木を植える際に、雑草の生長を抑止するために地面に敷かれて使用される防草用シートであり、少なくとも生分解性ポリマーと自然廃棄物と軟化剤を含む混合物から得られる生分解性を有し、かつ前記匍匐植物あるいは苗木を植える場所に相当する位置に開口穴が形成されたシート本体と、このシート本体を地面に固定するための止め具と、前記匍匐植物あるいは苗木の根元と前記開口穴の間の隙間に形成された発泡体層とを具備した構成にすることにより、匍匐植物あるいは苗木の根元と開口穴の間の隙間から雑草が生えるのを抑制し、かつ作業性及びコストの点でも優れた防草用シート及びその施工方法を提供できる。
【発明を実施するための最良の形態】
【００２１】
以下、本発明について更に詳しく説明する。  
本発明の樹木保護用シートにおいて、生分解性ポリマーとしては、バクテリア、酵素などの生化学活性物質の作用によって分解するポリマーを意味する。具体的には、ポリカプロラクトン（例えば、日本合成社の商品名：マタビー、ダイセル社の商品名：セルグリーン（ＰＣＬ））、芳香族ポリエステル（ＢＳＡＦ社の商品名：エコレックス）、ポリブチレンサクシネート・アジペート（昭和高分子社の商品名：ビオノーレ３００１）、ポリブチレンサクシネート（昭和高分子社の商品名：ビオノーレ１００１）、ポリエステルカーボネート（日本ガス化学社の商品名：ユーパック）、あるいはセルグリーンＰＣＡ（ダイセルの商品名）、デンプン、蛋白のような天然物を使用することができるが、特にこれらに限定されない。
【００２２】
前記樹木保護用シートにおいて、自然廃棄物とは、そのまま土壌に放置すれば自然に生分解されて土に返還されるものを意味し、例えば建築解体木材、流木、伐採材、雑草、剪定枝葉、デンプン等を粉状にしたものが挙げられが、特にこれらに限定されない。こられのし全廃棄物の粒度は１０〜１０００μｍで、好ましくは３０〜５００μｍである。ここで、粒度が１０μｍ未満であると、コストが高くなる。また、粒度が１０００μｍを越えると、シート強度が大幅に低下するとともに、シート加工上もシートに凹凸ができる等フィルムの加工は難しい。
【００２３】
前記樹木保護用シートにおいて、軟化剤は前記シートの施工性を高めるために充填するもので、例えば花王のエクセル生分解性軟化剤であるグリセロールモノステアレート、ヒマシ油、ワセリン等が挙げられる。通常、樹木に巻きつける樹木保護用シートは例えば１〜３ｍ程度の幅のものをロール状にして運搬し、施工する際に適宜な長さに切断して使用するので、樹木に巻きつけるにはある程度の柔軟性が必要となる。従って、シート本体を構成する混合物の一組成として軟化剤を含ませる。また、苗木の周辺に敷かれて使用される樹木保護用シートにおいても、施工される地面は一般に凹凸があるため、ある程度の柔軟性が必要となる。従って、この場合も上記混合物の一組成として軟化剤を含ませる。但し、苗木の周辺に敷かれた使用される樹木保護用シートにおいては、その面積が凹凸の影響を受けない程小さい場合は、柔軟性は必要としなので、この場合軟化剤は不要となる。
【００２４】
前記樹木保護用シート（成長した樹木用）は、少なくとも生分解性ポリマーと自然廃棄物と軟化剤を含む混合物から形成されるが、この混合物にはこれらの成分以外に例えば帝装化成製の商品名：ラムタリン、田辺製薬の商品名：ナラマイシン、大和化学の商品名：アニシロンＣＲＭ、日本化薬の商品名：ケミストン等の防鼠剤等の獣害防止剤、有機溶剤、チヌビン９４４（チバガイギー社の商品名）等のＵＶ吸収剤、カーボンブラック（例えばＧＰＦ）等の光遮断剤、光安定剤、酸化防止剤、紫外線吸収剤、離型剤、可塑剤等を混入することができる。
【００２５】
ここで、獣害防止剤を添加した場合は、鹿等の動物が樹木に近づくのを抑止することができ、獣害防止剤はシートの主面全面あるいは部分的に塗布などにより形成させてもよい。前記ＵＶ吸収剤を添加するのは、シートの耐候性を向上させて寿命を延長させるためである。光遮断剤を添加するのは、熱吸収性を大きくしてシートの耐候性を向上させ、寿命を延長させるためである。一般に、前記シートは、樹木の種類によっても異なるが、大体３〜５年程度で生分解するように生分解度合を調節することが好ましい。
【００２６】
前記樹木保護用シートにおいて、樹木の生長を妨げない非拘束性の固定具としては、できるだけ柔らかく、樹木の生長に伴って抵抗無く伸長するように例えば伸縮性を有したゴムバンドが挙げられる。ゴムバンドは、例えば天然ゴムにカーボンブラック、老化防止剤、軟化剤、亜鉛華、硫黄、加硫促進剤を加えてなる混合物を成形することにより得られる。前記ゴムとしてはイソプレン系、ブタジエン系ゴムのように分解し易いゴムがよい。また、ゴムバンドは、硬度（Ｈｓ）２０〜８０程度、モジュラス（引張強さ）：２０〜２００ｋｇ／ｃｍ２程度が好ましい。更に、固定具としては、生分解性繊維からなる伸縮性を有した編織物を用いてもよい。一般に、前記樹木保護用シートは地面から１〜３ｍ程度の高さに樹木を囲むように敷設するが、固定具はシート本体の外周に取り付けても良いし、ロール状のシートを切断した後の付き合わせ部分のみを止めてもいずれでもよい。
【００２７】
前記樹木保護用シート及び防草用シートにおいて、シート本体の裏面側には該シート本体の破れを防止する目的で生分解性を有する補強層、具体的には不織布、綿布、金巾等の補強用シートを貼り付けることが好ましい。ここで、補強用シートは樹木保護用シートの場合は特に必要ではないが、防草用シートのように広い面積に切断して使用する場合に有効である。
【００２８】
前記防草用シートにおいて、生分解性ポリマー、自然廃棄物、軟化剤、その他の添加物は樹木保護用シートの場合と同様である。但し、防草用シートの場合、雑草等の生長を効果的に抑制するためには、光の透過ができるだけ遮断することが重要で、少なくとも９５％以上遮断することが好ましく、１００％遮断することが更に好ましい。
【００２９】
前記防草用シートにおいて、シート本体を地面に固定する止め具としては、例えば竹製，木製の杭が挙げられるが、これに限定されず、シート本体を地面に確実に固定できるものであれば何でもよい。また、防草用シートには、通水用の小孔を多数形成することが好ましい。これにより雨等が防草用シートに溜まったり、傾斜地において雨が一か所に集中することを抑制することができる。ここで、小孔の径は雑草が小孔より生長するのを回避するために適宜設定することが好ましく、大体０．５〜２ｍｍとする。但し、小径から雑草等が伸びるのを防止するために、シート本体を上シートと下シートの２層とし、各シートにおける小孔が互にずれるように積層配置したり、あるいは小孔が形成されたシート本体の裏面側に不織布又は金巾を配置するようにすることが好ましい。
【００３０】
匍匐植物あるいは苗木を植える際の前記防草用シートにおける考察は、以下の通りである。一般に、芝桜、ヘデラ等の匍匐植物あるいは苗木を土中に植える場合、匍匐植物あるいは苗木に相当するシート部分に開口穴を開けて、この開口穴から露出する匍匐植物あるいは苗木が生長するようにしても、匍匐植物の根元と開口穴の間の隙間には豚草、背高泡立ち草等が生えて、匍匐植物あるいは苗木の生長が妨げられることが多い。従って、本発明に係る防草用シートでは、匍匐植物あるいは苗木の根元と開口穴の間の隙間に発泡体用液をスプレー等してその隙間を埋め、発泡体からなる層を形成するものである。ここで、発泡体としては、例えば発泡ウレタンが挙げられるが、これに限らない。
【００３１】
本発明において、苗木の周辺の地面に敷かれて使用される樹木保護用シートにおいて、苗木の根の少なくとも真下あるいは更にその周辺に位置する地面（例えば２０〜３０ｃｍの深さ）には例えば緩効性肥料を配置することが好ましい。これにより、雑草の生長を樹木保護用シートで抑制しつつ苗木の成長を促進することができ、従来のような間伐作業や急な勾配における危険な除草作業を回避できる。
【００３２】
前記樹木保護用シート及び防草用シートのいずれの場合も、シート化するには、下記の１）〜３）の方法が考えられる。  
１）生分解性ポリマーと自然廃棄物と軟化剤等を含む混合物をバンバリー、ニーダー等で混練りした後、３本ロールを用いてカレンダー加工等によりシート化する方法。ここで、シート本体の裏面側に不織布、織布、金巾等による補強層を貼り付ける場合は、カレンダー加工後のシート本体の裏面にロールを用いて補強層を加圧することにより行う。この際、接着剤を使用してもよい。  
２）前記混合物を押出機を用いてペレット化した後、更にＴダイ及びロールを用いてシート化する方法。  
３）前記混合物を押出し混練機を用いてペレット化し、更にＴダイ及び３本のロールを用いてシート化する方法。
【００３３】
（作用）  
本発明に係る（成長木のための）樹木防護用シートによれば、シート本体を樹木に巻きつけ、シート本体を固定具で固定するので、鹿、熊などの動物から樹木を保護することができる。こうした樹木保護効果は、例えばシート本体に表面にライオンの糞等を部分的に塗布，混入させれば、糞等がシート本体の多孔部分に吸着されるので、長期効果を保つことができ、一層向上することができる。また、シート本体は生分解性を有するので、樹木が生長して一定期間過ぎた後に生分解させることができ、従来の保護用シートのように回収する作業を省略でき、人件費を少なくできる。従って、樹木保護のみならず、従来と比べて作業性の点で優れた樹木保護用シートが得られる。
【００３４】
一方、（苗木のための）樹木保護用シートにおいても、シート本体を苗木根周辺の地面に敷き、シート本体を止め具により地面に固定するので、上記と同様、動物から苗木（樹木）を保護することができる。また、苗木用のシートの場合、苗木の根の少なくとも真下に位置する地面に例えば緩効性肥料を配置することにより、雑草の生長を樹木保護用シートで抑制しつつ苗木の成長を促進することができ、従来のような間伐作業を回避したり、急な勾配における危険な除草作業を低減できる。即ち、植林では、一般に予め多数の苗木を植えた後、成長が遅い樹木を多数伐採して本来必要とする樹木のみを残すような方式をとっており、間伐に多大な時間と作業をかけていた。また、山林は勾配が急なため除草作業が危険であるが、前記シートの配置によりシートの存在しない苗木の周辺部のみを刈ればよいので、危険な作業時間を低減できるとともに、苗木を草刈機で損傷することを回避できる。
【００３５】
更に、本発明の樹木保護用シートの施工方法によれば、シート本体に軟化剤が含まれているので、施工前のシートをロール状の状態で移送できるので移送作業に優れるとともに、樹木に巻きつけるときの施工性もよい。但し、施工性を余り考慮しないのであれば、軟化剤を含まないシート本体を作成することも可能である。
【００３６】
本発明の防草用シートによれば、シート本体を止め具により地面に固定するので、太陽光が地面に照射するのをほとんど遮断でき、雑草の生長を抑制することができる。また、シート本体は生分解性を有するので、一定期間過ぎて雑草の生長が回避された後に生分解させることができ、従来の防草用シートのように回収する作業を省略でき、人件費を少なくできる。従って、防草効果のみならず、従来と比べて作業性の点で優れた防草用シートが得られる。更に、シート本体には多数の小孔を形成すれば、シート本体に雨水が溜まったりすること等を抑制することができる。
【００３７】
本発明の匍匐植物あるいは苗木のための防草用シートによれば、匍匐植物あるいは苗木の根元と開口穴の間の隙間に発泡ウレタン等の発泡体用液をスプレーしてその隙間を埋め、発泡体層を形成するので、この発泡体層により豚草や背高泡立ち草等の発生を抑制して匍匐植物あるいは苗木の生長を促進することができる。
【００３８】
また、本発明の防草用シートの施工方法によれば、シート本体に軟化剤が含まれているので、施工前のシートをロール状の状態で移送できるので移送作業に優れるというメリットを有する。
【００３９】
以下、本発明の実施例について図面を参照して施工方法を併記しながら説明する。なお、下記に示す部材の材料や数値等は一例を示すもので、これらにより本発明の権利範囲が特定されるものではない。
【００４０】
（実施例１）  
図１を参照する。図中の符番１１は、樹木１２を保護する樹木保護用シートである。この樹木保護用シート１１は、生分解性を有する厚さ０．５ｍｍのシート本体１３と、このシート本体１１の裏面側に配置された図示しない綿布（補強層）と、前記シート本体１３を樹木１２に固定する，樹木１２の生長を妨げない非拘束性のゴムバンド（固定具）１４とから構成されている。前記シート本体１３の表面には、例えばライオンの糞を水で溶かしてなる獣害防止剤１５が部分的に混入されている。
【００４１】
前記シート本体１３は、ＢＳＡＦ社の商品名：エコフレックス（生分解性ポリマー）７０ｋｇと、木粉（自然廃棄物）７０ｋｇと、花王製の商品名：エクセル（軟化剤）７ｋｇと、チバガイギー社の商品名：チヌビン９４４（紫外線吸収剤）１．５ｋｇと、カーボンブラック２ｋｇと、ステアリン酸（離型剤）１．５ｋｇを含む混合物を、所定のバンバリーで混練りした後、ロールを用いてシート状に押出すとともに、前記シート本体１３の裏面に綿布を接着剤を介して加圧一体化することにより得られる。
【００４２】
上記したように、実施例１に係る樹木保護用シートは、生分解性ポリマーや木粉等を適宜含む混合物をシート状にして得られる生分解性を有するシート本体１３と、このシート本体１３の裏面側に配置された綿布と、前記シート本体１３を樹木１２に固定する非拘束性のゴムバンド１４と、前記シート本体１３の表面に部分的に混入された獣害防止剤１５とを具備した構成となっている。
【００４３】
こうした構成の樹木保護用シートを施工する時は、ロール状に巻かれたシートを適宜な長さ分切断してシート本体１３とした後、このシート本体１３を樹木１２に巻き、更にこのシート本体１３の外周にゴムバンド１４を巻きつけて樹木１２に固定することにより行う。
【００４４】
こうした樹木保護用シートによれば、シート本体１３を樹木１２に巻きつけ、シート本体１２をゴムバンド１４で固定するので、鹿、熊などの動物から樹木１２を保護できることができる。この樹木保護効果は、シート本体１２に表面に部分的に混入した獣害防止剤１５により一層向上することができる。また、シート本体１３は生分解性を有するので、樹木が生長して一定期間過ぎた後に生分解させることができ、従来の保護用シートのように回収する作業を省略でき、人件費を少なくできる。従って、樹木保護のみならず、従来と比べて作業性の点で優れた樹木保護用シートが得られる。また、本発明の樹木保護用シートの施工方法によれば、シート本体１２に軟化剤が含まれているので、施工前のシートをロール状の状態で移送できるので移送作業に優れるとともに、樹木１２に巻きつけるときの施工性もよい。
【００４５】
なお、上記実施例１において、固定具はゴムバンド以外に限らず、他の手段を用いてもよい。また、固定具として生分解性材料から製造されたものを使用すれば、シート本体のみならず、固定具も生分解させることができるので、好ましい。更に、固定具はシート本体の外周全体を止めるに限らず、切断したシート本体の切断部分同士を部分的に止めてもよい。更には、獣害防止剤をシート本体に混入するのではなく、シート本体を構成する混合物中に入れ、長期間その効果が発揮できるようにしてもよい。
【００４６】
また、上記実施例１において混合物を構成する各組成物の配合割合は、上述した配合割に限らず、生分解性ポリマーは５０〜１３０部が好ましく更に好ましくは５０〜８０部、木粉は１５０部以下が好ましく更に好ましくは５０〜１３０部、軟化剤は０〜４０部が好ましく更に好ましくは１０〜３０部、紫外線吸収剤は０〜１０部が好ましく更に好ましくは２〜７部、カーボンブラックは０〜５部が好ましく更に好ましくは０．２〜３部である。ここで、木粉が多すぎるとシートの強度が低くなり、また硬くなるので加工上軟化剤が必要となり、更にシート強度の低下をもたらす。
【００４７】
更に、シート本体の厚みも０．５ｍｍに限らず、０．００３〜３ｍｍ好ましくは０．２〜１ｍｍの範囲がより好ましい。この理由は、シート本体の厚みが０．００３ｍｍ未満であると、シート化しても施工上破れやすいからであり、厚みが３ｍｍを越えると、曲げにくく重ね作業がしにくいからである。
【００４８】
更には、上記実施例１では、図１から明らかのように樹木がある程度成長している場合（樹木の葉の部分がシートで囲まれていない場合）について述べているが、樹木が十分成長せずに苗木である場合（即ち、樹木の葉の部分がシートで囲まれているような場合）にも適用できる。但し、この場合、シートで囲まれた領域に太陽光が届きにくいので、シートを透明な材料例えばヘキサチューブのようなもので構成することが好ましい。
【００４９】
（実施例２）  
図２（Ａ），（Ｂ）を参照する。但し、図２（Ａ）は実施例２に係る防草用シートの使用例を示す説明図、図２（Ｂ）は図２（Ａ）の防草用シートの略斜視図を示す。  
図中の符番２１は、雑草の生長を抑制する防草用シートである。この防草用シート２１は、生分解性を有する厚み０．５ｍｍのシート本体２２と、このシート本体２２を地面２３に固定する竹製の杭（固定具）２４と、前記シート本体２２の裏面（地面側）に張付けられた厚み５００μｍの布（補強材）２５から構成されている。前記シート本体２２は、樹木保護用シートの前記シート本体と同様な材質から形成され、作り方も前述した通りである。前記布２５は、シート本体２２の破れを防止する目的で貼り付けられている。前記シート本体２２には、水を通過させるための任意の径を持つ小孔２６が多数格子状に形成されている。なお、前記シート本体２２の組成は実施例１のシート本体と同様である。
【００５０】
上記実施例２に係る防草用シートは、多数の小孔２６が形成された生分解性を有するシート本体２２と、このシート本体２２の裏面に形成された布２５と、前記シート本体２２を地面に固定する木製の杭２４とから構成されている。
【００５１】
こうした構成の防草用シートを施工する時は、ロール状に巻かれたシートを適宜な長さに切断してシート本体２２とした後、このシート本体２２を地面に敷設し、更にこのシート本体２２を杭２４により地面２３に固定することにより行う。
【００５２】
こうした防草用シートによれば、シート本体２２を杭２４により地面２３に固定するので、太陽光が地面に照射するのをほとんど遮断でき、雑草の生長を抑制することができる。また、シート本体２２は生分解性を有するので、一定期間過ぎて雑草の生長が回避された後に生分解させることができ、従来の防草用シートのように回収する作業を省略でき、人件費を少なくできる。従って、防草効果のみならず、従来と比べて作業性の点で優れた防草用シートが得られる。更に、シート本体２２には多数の小孔２６が形成されているので、シート本体２２に雨水が溜まったりすることを抑制することができる。
【００５３】
また、本発明の防草用シートの施工方法によれば、シート本体２２に軟化剤が含まれているので、施工前のシートをロール状の状態で移送できるので移送作業に優れるというメリットを有する。
【００５４】
上記実施例２において、シート本体の裏面にフェルトを設けた場合について述べたが、フェルトは必ずしも必要とはしない。また、固定具は竹製の杭に限らず、他の材料でもよい。更に、シート本体の材料の一つとして軟化剤が使用されているが、シートを広い領域でなく狭い領域で使用する場合は必ずしも必要ではない。
【００５５】
また、上記実施例２において、各組成物の配合割合、シート本体の厚みは、上述した樹木防護用シートの場合と同様である。更に、布の厚みは上記した値に限らず、１００〜５０００μｍが好ましく、さらに好ましくは２００〜２０００μｍである。この理由は、１００μｍでは強度が弱く破れやすく、また５０００μｍを越えると補強層としての布が断熱層となって地温が上がらず、雑草の成長を許してしまうからである。
【００５６】
（実施例３）  
実施例３に係る防草用シートは、例えば匍匐植物を保護するために使用される。図８（Ａ），（Ｂ）を参照する。ここで、図８（Ａ）は防草用シートの平面図、図８（Ｂ）図８（Ａ）のＸ−Ｘ線に沿う断面図を示す。
【００５７】
図中の符番４１は、雑草の生長を抑制する防草用シートである。この防草用シート４１は、生分解性を有する厚み０．５ｍｍのシート本体４２と、このシート本体４２を地面４３に固定する竹製の杭（固定具）４４と、前記シート本体４２の裏面（地面側）に張付けられた厚み５００μｍの布（補強材）４５から構成されている。前記シート本体４２は、樹木保護用シートの前記シート本体と同様な材質から形成され、作り方も前述した通りである。芝桜等の匍匐植物４６が植えられる箇所に相当する前記シート本体４１には、開口部４７が形成されている。匍匐植物４６の根元と開口部４７の間の隙間には、発泡ウレタンをスプレーすることにより得られる発泡体からなる層４８が設けられている。前記布４５は、シート本体４２の破れを防止する目的で貼り付けられている。なお、前記シート本体４２の組成は実施例１のシート本体と同様である。
【００５８】
上記実施例３に係る防草用シートは、開口部４７が形成された生分解性を有するシート本体４２と、このシート本体４２の裏面に形成された布４５と、前記シート本体４２を地面４３に固定する木製の杭４４と、匍匐植物４６の根元と開口部４７の間の隙間に設けられた発泡体からなる層４８とから構成されている。
【００５９】
こうした構成の防草用シートを施工する時は、ロール状に巻かれたシートを適宜な長さに切断して開口部４７を有したシート本体４２とした後、このシート本体４２を地面に敷設し、更にこのシート本体４２を杭４４により地面４３に固定するとともに、匍匐植物４６の根元と開口部４７の間の隙間に発泡体からなる層４８を形成することにより行う。なお、開口部４７はシートを地面４３に固定する前に予め開口してもよいし、固定してから開口してもよい。また、発泡体からなる層４８は通常はシートを地面４３に固定してから行うが、この逆でもよい。
【００６０】
こうした防草用シートによれば、シート本体４２を杭４４により地面４３に固定するので、太陽光が地面に照射するのをほとんど遮断でき、雑草の生長を抑制することができる。また、匍匐植物４６の根元と開口部４７の間の隙間に発泡体からなる層４８を設けることにより、雑草の生長を一層抑制することができる。更に、シート本体４２は生分解性を有するので、一定期間過ぎて雑草の生長が回避された後に生分解させることができ、従来の防草用シートのように回収する作業を省略でき、人件費を少なくできる。従って、防草効果のみならず、従来と比べて作業性の点で優れた防草用シートが得られる。
【００６１】
また、本発明の防草用シートの施工方法によれば、シート本体４２に軟化剤が含まれているので、実施例１と同様、施工前のシートをロール状の状態で移送できるので移送作業に優れるというメリットを有する。
【００６２】
なお、上記実施例３において、シート本体の裏面にフェルトを設けた場合について述べたが、フェルトは必ずしも必要とはしない。また、固定具は竹製の杭に限らず、他の材料でもよい。更に、シート本体の材料の一つとして軟化剤が使用されているが、シートを広い領域でなく狭い領域で使用する場合は必ずしも必要ではない。
【００６３】
また、上記実施例３において、各組成物の配合割合、シート本体の厚みは、上述した樹木防護用シートの場合と同様である。更に、布の厚みは上記した値に限らず、１００〜５０００μｍが好ましく、さらに好ましくは２００〜２０００μｍである。この理由は、１００μｍでは強度が弱く破れやすく、また５０００μｍを越えると補強層としての布が断熱層となって地温が上がらず、雑草の成長を許してしまうからである。
【００６４】
更に、上記実施例３では、防草用シートが匍匐植物の保護の場合について述べたが、これに限らず、木の苗木（成木ではない）を周辺からの雑草の進出から保護する場合についても、実施例３の場合と同様な効果が得られる。
【００６５】
（実施例４）  
実施例４に係る樹木保護用シートは、まだ十分に成長していない苗木の保護のために使用される。図３を参照する。  
図中の符番２７は、地面２８に植えられた苗木を示す。この苗木２７の周辺の地面２８には、樹木保護用シート２９が敷かれている。この樹木保護用シート２９は、生分解性を有する厚さ０．５ｍｍのシート本体３０と、このシート本体３０の裏面側に配置された綿布３１（補強層）と、前記シート本体３０を地面２８に固定する杭（止め具）３１とから構成されている。前記シート本体３０には、防鼠剤としてのラムタリン（帝装化成の商品名）が染み込んでいる。また、苗木２７の真下及びその周辺に位置する深さ２０〜３０ｃｍの地面２８には、緩効性肥料（商品名：ウッドエース、三菱化成社製）（図示せず）が施されている。なお、前記シート本体３０の組成は実施例１のシート本体と同様である。
【００６６】
こうした構成の樹木保護用シートを施工する時は、ロール状に巻かれたシートを適宜な長さ分切断してシート本体３０とした後、このシート本体３０を適宜な大きさに切断するとともに、切り目３０ａを入れた後、苗木２７の周辺の地面２８に敷き、更にこのシート本体３０のコーナー部を夫々竹製の杭３１で止めて固定することにより行う。
【００６７】
こうした樹木保護用シートによれば、苗木２７を野鼠から保護することができる。また、シート本体１３は生分解性を有するので、苗木２７が生長して一定期間過ぎた後にシート２９を生分解させることができ、回収作業を省略して人件費を少なくできる。従って、樹木保護のみならず、作業性の点で優れた樹木保護用シートが得られる。また、苗木の根の真下及びその周辺に位置する地面（例えば２０〜３０ｃｍの深さ）２８には、例えば緩効性肥料が施されているため、雑草の成長を樹木保護用シートで抑制しつつ苗木２７の成長を促進することができ、従来のような間伐作業や急な勾配における危険な除草作業を回避できる。
【００６８】
また、本発明の樹木保護用シートの施工方法によれば、シート本体３０に軟化剤が含まれているので、施工前のシートをロール状の状態で移送できるので移送作業に優れるとともに、地面２８に凹凸があっても施工性がよい。なお、上記実施例３では、シート本体３０に防鼠剤を染み込ませた場合について述べたが、これに限らず、他の獣害防止剤を染み込ませてもよい。
【００６９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００７０】
【図１】本発明の実施例１に係る樹木保護用シートの説明図。
【図２】本発明の実施例２に係る防草用シートの説明図。
【図３】本発明の実施例４に係る樹木保護用シートの説明図。
【図４】従来の樹木保護用シートの説明図。
【図５】従来の防草用シートの説明図。
【図６】従来の特許文献１に係るツリープロテクターの説明図。
【図７】図６のツリープロテクターの使用例の説明図。
【図８】本発明の実施例３に係る防草用シートの説明図。
【符号の説明】
【００７１】
１１，２９…樹木保護用シート、１２…樹木、１３，２２，４２…シート本体、１４…ゴムバンド（固定具）、１５…獣害防止剤、２１，４１…防草用シート、２３，２８，４３…地面、２４，３１，４４…杭（止め具）、２５，３１，４５…補強層、２６…小孔、２７…苗木，４１…防草用シート、４６…匍匐植物、４７…開口穴、４８…発泡体からなる層。
【図１】
2005151970.tif 000003
【図２】
2005151970.tif 000004
【図３】
2005151970.tif 000005
【図４】
2005151970.tif 000006
【図５】
2005151970.tif 000007
【図６】
2005151970.tif 000008
【図７】
2005151970.tif 000009
【図８】
2005151970.tif 000010